(57)【要約】      （修正有）【課題】ローラスケートやスケートボード等の走行具により遊戯者が遊戯をし、あるいは練習をするような場合に、人力を要さず、簡単な操作で安全に走行具を走行させ、遊戯を楽しみ、あるいは練習ができるようにした、シンプルな構造で安価に製造し得る走行補助用自走体を提供する。【解決手段】走行具と共に使用して、該走行具の走行を補助する走行補助用自走体１００であって、支柱１１０の上部にグリップ１２０を形成し、前記支柱の下部にバッテリー１３０に接続された電動モータ１４０を備え、該電動モータに駆動輪１５０を連結し、かつ前記グリップには前記電動モータをオン・オフする操作スイッチ１６０を設けて走行補助用自走体を構成する。【選択図】図１
0003128042.tif 000002
【実用新案登録請求の範囲】
【請求項１】
走行具と共に使用され、該走行具の走行を補助する走行補助用自走体であって、支柱の上部にはグリップが形成され、前記支柱の下部にはバッテリーに接続された電動モータを備え、該電動モータには駆動輪が連結され、かつ前記グリップには前記電動モータをオン・オフする操作スイッチが設けられて成ることを特徴とする走行補助用自走体。
【請求項２】
前記支柱は中空のポールから成り、前記バッテリーは該ポールの内部に装着されていることを特徴とする請求項１に記載の走行補助用自走体。
【請求項３】
前記電動モータは前記支柱の下部に装備されたスプリング式のサスペンションを介して設けられていることを特徴とする請求項１又は２に記載の走行補助用自走体。
【請求項４】
前記支柱は上方支柱と下方支柱とから成り、該上方支柱及び下方支柱は位置決め部材により前記支柱の高さが調節可能となっていることを特徴とする請求項１ないし請求項３のいずれかに記載の走行補助用自走体。
【請求項５】
前記支柱には固定部材を介してサドルが設けられ、該サドルは前記固定部材を固定することにより高さ位置及び角度が調節可能であり、かつ固定を解除することにより折り畳みが可能となっていることを特徴とする請求項１ないし請求項４のいずれかに記載の走行補助用自走体。
【請求項６】
前記支柱は高さ方向の略中央部で連結部材により連結され、該連結部材の連結を解除することにより二つに折り畳み可能となっていることを特徴とする請求項１ないし請求項５のいずれかに記載の走行補助用自走体。
【請求項７】
前記グリップは左右に一対の握り部を有する自転車のハンドル型に形成され、かつ該グリップは中央部に設けられた連結部材の連結を解除することにより下方に折り畳み可能となっていることを特徴とする請求項１ないし請求項６のいずれかに記載の走行補助用自走体。
【考案の詳細な説明】
【技術分野】
【０００１】
本考案は、例えば遊戯用のローラスケートやスケートボード等の走行具と共に使用され、当該走行具の走行を補助する走行補助用自走体に関する。
【背景技術】
【０００２】
従来、例えばローラスケートやスケートボード等の走行具で走行する場合、遊戯者は足で地面を蹴ってスピードをつけ、姿勢を色々変えて走行することにより楽しむことができる。しかし、足で地面を蹴って走行する場合にはすぐに足が疲れてしまい、長時間あるいは長距離に渡って走行することができない。また、人力に限りがあるため、高速のスピード感が得られないという欠点があつた。
【０００３】
そこで、従来、電動モータ等の動力によりローラを駆動するようにした自走式の電動ローラスケート、あるいは電動スケートボードが数多く提案されている。
【０００４】
例えば特許文献１には、遊戯者の両足が乗るベースプレートの底面に電動モータによって駆動される駆動輪を設けると共に、この駆動輪の前後に補助輪を設け、さらに前記電動モータを駆動制御する装置をベースプレートの後端に設けて成り、遊戯者の体重移動のみでスピードの可減速や旋回を行い、かつ補助輪により電動ローラスケートの安定性を図るようにした電動ローラスケートが提案されている。
【０００５】
しかしながら、この電動ローラスケートは、補助輪が前後方向に設けられ、かつ速度制御が可能になってはいるものの、狭幅で長さの短いベースプレートの下面にローラを付けただけの極めて不安定な走行具であるため、通常のローラスケートあるいはスケートボードと同様に、走行中に転倒する危険性があり、また制御系ほかの構造が複雑となることから高価となり、さらにまた、遊戯者が安定して走行することができるまでにはかなりの熟練を要する等の問題があった。
【特許文献１】特開２００４−２４６１４号公報
【考案の開示】
【考案が解決しようとする課題】
【０００６】
本考案は、上記実情に鑑みなされたもので、その目的とするところは、例えばローラスケートやスケートボード等の走行具により遊戯者が遊戯をし、あるいは練習をするような場合に、人力を要さず、簡単な操作で安全に走行具を走行させ、遊戯を楽しみ、あるいは練習ができるようにした、シンプルな構造で安価に製造し得る走行補助用自走体を提供することにある。
【課題を解決するための手段】
【０００７】
本考案の上記目的は、走行具と共に使用され、該走行具の走行を補助する走行補助用自走体であって、支柱の上部にはグリップが形成され、前記支柱の下部にはバッテリーに接続された電動モータを備え、該電動モータには駆動輪が連結され、かつ前記グリップには前記電動モータをオン・オフする操作スイッチが設けられて成ることを特徴とする、請求項１に記載の走行補助用自走体を提供することによって達成される。
【０００８】
また、本考案の上記目的は、前記支柱は中空のポールから成り、前記バッテリーは該ポールの内部に装着されていることを特徴とする請求項２に記載の走行補助用自走体を提供することによって、より効果的に達成される。
【０００９】
また、本考案の上記目的は、前記支柱は中空のポールから成り、前記バッテリーは該ポールの内部に装着されていることを特徴とする請求項２に記載の走行補助用自走体を提供することによって、より効果的に達成される。
【００１０】
また、本考案の上記目的は、前記支柱は上方支柱と下方支柱とから成り、該上方支柱及び下方支柱は位置決め部材により前記支柱の高さが調節可能となっていることを特徴とする、請求項４に記載の走行補助用自走体を提供することによって、より効果的に達成される。
【００１１】
また、本考案の上記目的は、前記支柱には固定部材を介してサドルが設けられ、該サドルは前記固定部材を固定することにより高さ位置及び角度が調節可能であり、かつ固定を解除することにより折り畳みが可能となっていることを特徴とする請求項５に記載の走行補助用自走体を提供することによって、より効果的に達成される。
【００１２】
また、本考案の上記目的は、前記支柱は高さ方向の略中央部で連結部材により連結され、該連結部材の連結を解除することにより二つに折り畳み可能となっていることを特徴とする、請求項６に記載の走行補助用自走体を提供することによって、より効果的に達成される。
【００１３】
さらにまた、本考案の上記目的は、前記グリップは左右に一対の握り部を有する自転車型のハンドル型に形成され、かつ該グリップは中央部に設けられた連結部材の連結を解除することにより下方に折り畳み可能となっていることを特徴とする、請求項７に記載の走行補助用自走体を提供することによって、より効果的に達成される。
【考案の効果】
【００１４】
上記のとおり構成された本考案に係る走行補助用自走体(以下、単に「自走体」という)は、支柱の上部に形成されたグリップを手で握り、操作スイッチをオン・オフするだけの極めて簡単な操作により電動モータを駆動・停止させ、自走体を自走・停止させるように構成されているので、本自走体を用い、例えばローラスケートあるいはスケートボード等の走行具により遊戯者が遊戯あるいは練習をするような場合に、遊戯者は地面を足で蹴ってスピードをつける必要がなく走行することができる。このため、遊戯者は疲れることがなく、長時間に渡って遊戯をすることができる。また、遊戯者は両足を走行具に載せ、両手で自走体の支柱を握ったまま、換言すれば、上半身を支柱に支え、体重バランスを保持した状態で走行するので、遊戯者は走行中に転倒して怪我をすることがない。さらにまた、装置構成が支柱に駆動走行手段を設けただけのシンプルなもの、とくに請求項２に係る考案であるので、安価に製造することができる。
【考案を実施するための最良の形態】
【００１５】
以下、本考案の好ましい実施形態について、添付図面を参照しながら説明する。なお、本考案は、必ずしも以下の実施形態に限定されるものではなく、本考案の要旨を逸脱しない範囲において、その構成を適宜に変更し得るものであることはいうまでもない。
［第１実施形態］
図１は、本考案の第１実施形態に係る走行補助用自走体（以下、「自走体」と略称する）１００の正面断面図、図２は、その側面図である。
【００１６】
本自走体１００は、支柱１１０の上部にグリップ１２０が形成され、支柱１１０の下部にはバッテリー１３０に接続された電動モータ１４０を備え、電動モータ１４０には駆動輪１５０が連結され、かつグリップ１２０には電動モータ１４０をオン・オフする操作スイッチ１６０が設けられて成っている。
【００１７】
支柱１１０は、アルミ製のポールから成る上方支柱１１１と下方支柱１１２によって構成され、上部支柱１１１が下部支柱１１２の内部に摺動可能となっている。なお、この支柱１１０はアルミ製に限らず、例えばステンレス材あるいは合成樹脂材等によっても製作してもよい。上方支柱１１１の長さ方向の周壁には位置決め用の孔１１３が等間隔に透設されており、一方、下部支柱１１２の上方側の周壁には孔１１３に嵌着される位置決め用の部材であるピン１１４が装着されている。このピン１１４と孔１１３との嵌着により上部支柱１１１の高さが調節され、グリップ１２０の位置が本自走体１００の使用者に合った位置に設定される。なお、位置決め部材はピン１１４に限らず、ネジを始めその他公知の部材を用いることができる。
【００１８】
グリップ１２０は上部支柱１１１の上方端部を被包するようにして設けられ、その略中央部には使用者が片手で握ることができる程度の凹部１２１が形成され、この凹部１２１の外側にはレバー式のブレーキハンドル１２２が設けられている。このブレーキハンドル１２２は、自転車のブレーキ構造と同様に、支柱１１０に沿って設けられたブレーキワイヤ１２３を介してブレーキシュー１２４に連結されており、図示しないバネの付勢力に抗してブレーキハンドル１２２を握ることにより駆動輪１５０にブレーキを与えるようになっている。
【００１９】
バッテリー１３０は下部支柱１１２内の底部に装着されており、下部支柱１１２の下端部と電動モータ１４０との間にはスプリング式のサスペンション１７０が設けられている。このサスペンション１７０は、上端部が下部支柱１１２の下端部にネジ１７１を介して連結された上方円筒部材１７２と、この上方円筒部材１７２の内部に摺動可能に嵌着された下方円筒部材１７３の外周面に圧縮コイルバネ１７４を有して成っている。下方円筒部材１７３の下端部はネジ１７５を介してモータボックス１４１に連結されている。
【００２０】
モータボックス１４１の内部には電動モータ１４０が装着されている。この電動モータ１４０は両側から回転軸１４２が延出した公知のものであり、この回転軸１４２に駆動輪１５０が連結されている。このように電動モータ１４０を支柱１１０の下方側に配置すると、重心との関係で本自走体１００のバランスが保たれ、全体が安定化される。
【００２１】
また、操作スイッチ１６０、バッテリー１３０、及び電動モータ１４０とは図示しない電気回路系を介して電気的に接続されている。なお、この回路構成は格別なものではないので説明は省略する。
【００２２】
なお、本自走体１００の全体の高さは必要により任意の値に設定し得るが、使い易さの点からこれを１５０ｃｍ前後に設定することが好ましい。
【００２３】
図３は、以上のとおり構成された本自走体１００の使用例に係り、具体的には、本自走体１００をスケードボードＳＢと共に使用する場合を示したものである。
【００２４】
本自走体１００の使用に際し、先ず、遊戯者ＭはスケードボードＳＢに乗り、上方支柱１１１の高さを調節してグリップ１２０の位置を遊戯者Ｍの片手で握れる位置に合わせる。その後、片手(右手)でグリップ１２０を握り、他の片手(左手)で上方支柱１１１を握り、駆動輪１５０を走行する地面に置いて体重バランスをとることにより走行の準備を完了する。
【００２５】
次に、走行する場合には、片手(右手)で操作スイッチ１６０をオンし、電動モータ１４０を介して駆動輪１５０を駆動する。これにより、スケードボードＳＢに乗った遊戯者Ｍは自走することになり、次第に加速されるスピードを楽しむことができる。なお、逆に減速する場合には、グリップ１２０近傍に設けられたブレーキハンドル１２２を握ることにより駆動輪１５０にフレーキをかけ、停止する場合には、操作スイッチ１６０をオフし、電動モータ１４０の駆動を停止することにより達成される。
【００２６】
以上のとおり、本自走体１００は、支柱１１０の上部に形成されたグリップ１２０を手で握り、操作スイッチ１６０をオン・オフするだけの、必要に応じてブレーキハンドル１２２を握るだけの、極めて簡単な操作により本自走体１００を自走・停止、あるいは減速できるように構成されているので、熟練を要さず、誰でもすぐに使用することができる。
【００２７】
また、上述のように、本自走体１００を用いてスケートボードＳＢで遊戯をする場合には、自動的に走行できるので、遊戯者Ｍはその都度地面を足で蹴ってスピードをつける必要がなく、このため遊戯者Ｍは疲れることなく長時間に渡って遊戯を楽しむことができる。
【００２８】
また、遊戯者Ｍは両足をスケートボードＳＢに載せ、両手で自走体１００の支柱１１０を握ったまま、換言すれば、上半身を支柱１１０に支え、体重バランスを保持した状態で走行するので、遊戯者Ｍが走行中に転倒して怪我をすることがない。加えて、電動モータ１４０に連結された駆動輪１５０が支柱１１０の下部においてスプリング式のサスペンション１７０を介して設けられ、振動が吸収されるようになっているので、走行路面に凹凸があっても、この衝撃が直接遊戯者Ｍに与えられることがない。さらにまた、上述したとおり、本自走体１００はシンプルな構造であるため、安価に製造すめることができる。
【００２９】
なお、製造コストはアップするが、上述した第１実施形態において、例えばグリップ１２０をスピード調整が可能なグリップとし、このグリップに連動するスピード制御器を支柱１１０の内部又は下方外部に設けることにより、自走体１００の自走速度を制御するようにすることも可能である。
【００３０】
ここに、上述した第１実施形態においては、支柱１１０の高さを可変としたが、本発明においてはこれを必ずしも可変とする必要性はなく、例えば子供用あるいは大人用とした一定高さの支柱１１０を有する自走体１００とすることも可能である。また、本自走体１００は、初心者がローラスケートあるいはスケードボードを自力で走行できるまでの練習用の補助具として使用できるものである。
［第２実施形態］
図４は、本考案の第２実施形態に係る自走体２００の側面図、図５は図４のＸ−Ｘ断面矢視図である。なお、本自走体２００の構成は、一部の構成を除き、上述した第１実施形態と実質的に同一であるので、以下では第１実施形態と同一な構成要素には２００番台の同一符号を付して説明する。
【００３１】
図４に示すように、本自走体２００の下方支柱２１２にはサドル２８０が矢印Ｙで示すように折り畳み可能に設けられている。このサドル２８０は、図５に示すように、遊戯者Ｍの臀部を載置するサドル本体２８１を固定部材である２本のネジ２８２により下方支柱２１２に締め付けることにより適当な角度に固定され、逆にネジ２８２を緩め、固定を解除することにより点線で示す下方位置に折り畳まれるようになっている。このようにサドル２８０が折り畳めるようになっているので、本自走体２００の携行あるいは収納等が容易である。なお、ネジ２８２の締め付け穴位置を、上方支柱２１１の位置決め用の孔２１３と同様に、高さ方向に複数個設けておくことによりサドル２８０の高さ位置を好ましい位置に設定することができる。その他の構成は上述した第１実施形態と同様となっている。
【００３２】
上述したように、本自走体２００は遊戯者が腰を掛けたまま自走できるように構成されているので、本自走体２００をローラスケートＲＳで遊戯をする場合に併用すると特に有効である。図６はそのときの様子を示したものである。すなわち、本自走体２００を用いてローラスケートＲＳで遊戯をする場合には、先ず遊戯者ＭはローラスケートＲＳを両足に装着後、グリップ２２０の高さを調節すると共にサドル２８０を所定の位置及び角度に調節して固定し、支柱２１０を両脚で挟むようにしてサドル２８０に腰を掛ける。
【００３３】
そして、走行する場合には、前記同様に、片手(右手)で操作スイッチ２６０をオンし、電動モータ２４０を介して駆動輪２５０を駆動し、減速する場合には、グリップ２２０近傍に設けられたブレーキハンドル２２２を握ることにより駆動輪２５０にフレーキをかけ、停止する場合には、操作スイッチ２６０をオフし、電動モータ２４０の駆動を停止することにより達成される。
【００３４】
このように、本自走体２００をローラスケートＲＳと併用して遊戯をする場合においても、前記同様に、遊戯者Ｍは怪我をしたり疲れたりすることがなく、簡単な操作により長時間に渡り遊戯をすることができる。
［第３実施形態］
図７は、本考案の第３実施形態に係る自走体３００の正面図、図８はその側面図、図９は図７のＺ−Ｚ断面矢視図である。なお、本自走体３００の構成は、上述した第２実施形態の改良に係るもので、この改良部分の構成を除く他の構成は第２実施形態と実質的に同一であるので、以下では第２実施形態と同一な構成要素には３００番台の同一符号を付して説明する。
【００３５】
本自走体３００は、第２実施形態と同様にサドル３８０が折り畳み可能となっている外、図７に示すように、グリップ３２０が矢印Ｙ方向に折り畳み可能な、自転車の折り畳み式ハンドルと同一構造に形成され、かつ、図８に矢印Ｚで示すように、支柱３１０が高さ方向の略中央部から二つに折り畳み可能となっている。
【００３６】
すなわち、この折り畳み式のグリップ３２０は、左右一対の握り部３２５がロッド３２６により連結され、このロッド３２６は上方支柱３１１の上端部に連結された連結部材であるパイプ３２７に連結されて成っている。図９に示すように、ロッド３２６とパイプ３２７とはネジ３２８を締め付けることにより固定される。また、パイプ３２７の軸方向外側にはロッド３２６の軸径より幾分大きい幅を有する切欠き部３２７ａが設けられ、ネジ３２８を緩め、連結部材であるパイプ３２７との連結を解除することにより、すなわち連結ロッド３２６に連結された握り部３２５が、図７に点線で示すように、下方に折り畳まれるようになっている。
【００３７】
一方、支柱３１０は、上方支柱３１１の下端部３１１ａが下方支柱３１２の上端部３１２ａに嵌着、連結するように形成されており、この連結部にレバー３１３を有するネジ３１４が螺着されていて、このネジ３１４を緩めることにより上方支柱３１１が図８に矢印Ｚで示すように下方に折り畳まれるようになっている。なお、その他の構成は上述した第２実施形態と同一であるので説明は省略する。
【００３８】
このように構成された本自走体３００によれば、第２実施形態と同様な効果に加え、折り畳むことにより装置全体をコンパクトにできるので、第２実施形態の場合に較べ、本自走体３００の携行あるいは収納等が一層容易となるメリットがある。
［第４実施形態］
図１０は、本考案の第４実施形態に係る自走体４００の側面図である。なお、本自走体４００は上述した第３実施形態の変更例に係るもので、この変更部分の構成を除く他の構成は第３実施形態と実質的に同一であるので、以下では第３実施形態と同一な構成要素には４００番台の同一符号を付して説明する。
【００３９】
図１０に示すように、本自走体４００は、上部支柱４１１が前方から後方に湾曲したカーブ状のアームに形成され、このアームの上端部にグリップ４２０が設けられている一方、下部支柱４１２が垂直支柱４１２ａと傾斜支柱４１２ｂとにより構成され、この垂直支柱４１２ａの頭部にはサドル４８０が圧縮バネ４８４を介して設けられている。また、第３実施形態と同様に、垂直支柱４１２ａの下端部と傾斜支柱４１２ｂの傾斜端部との連結部にはレバー４１３を有するネジ３１４が螺着されていて、このネジ４１４を緩めて連結を解除することにより上方支柱３１１が下方に折り畳まれるようになっている。なお、その他の構成は上述した第３実施形態と同一であるので説明は省略する。
【００４０】
このように構成された本自走体４００によれば、第３実施形態と同様な効果に加え、遊戯者Ｍはサドル４８０に安定して腰を掛けることができ、またグリップ４２０が操作のし易い位置に設けられているので、第３実施形態と同様な効果に加え、走行による遊戯者Ｍの疲労度と安全性がより一層改善される。
【００４１】
このため、本自走体４００は、上述したような遊戯用、例えば点線で示すようにローラスケートＲＳと併用して遊戯をするような場合にかぎらず、示すように、図１１に実線で示すように、荷物を運搬する台車あるいはキャリヤ付のカート等の運搬車ＣＡと併用することにより、荷物等を運搬する補助手段とも成り得る。この場合には、運搬者（前記遊戯者）Ｍは運搬車ＣＡの把手を片手で持ち、他の片手で本自走体４００のグリップ４２０を握る一方、両足を運搬車ＣＡの載置台に載せ、操作スイッチ４６０を操作して本自走体４００を走行させることにより目的が達成される。
【００４２】
以上、本考案の内容を４つの実施形態に基づき説明したが、本考案は必ずしもこれらの実施形態に限定されるものでないことは前述したとおりである。
【００４３】
例えば、前記実施形態はいずれも駆動輪を２個としたものであるが、必要に応じ、これを１個としてもよく、また３個以上としてもよい。さらにまた、この駆動輪を電動モータにより駆動する機構は、例えばギアあるいはベルト等の動力伝達手段を介して構成するようにしてもよい。
【図面の簡単な説明】
【００４４】
【図１】本考案の第１実施形態の正面断面図である。
【図２】図１の側面図である。
【図３】第１実施形態に係る自走体の使用例を示す斜視図である。
【図４】本考案の第２実施形態の側面図である。
【図５】図４のＸ−Ｘ断面矢視図である。
【図６】第２実施形態に係る自走体の使用例を示す側面図である。
【図７】本考案の第３実施形態の正面図である。
【図８】図７の側面図である。
【図９】図７のＺ−Ｚ断面矢視図である。
【図１０】本考案の第４実施形態の側面図である。
【図１１】第４実施形態に係る自走体の使用例を示す側面図である。
【符号の説明】
【００４５】
１００、２００、３００、４００  自走体
１１０、２１０、３１０、４１０  支柱
１１１、２１１、３１１、４１１  上方支柱
１１２、２１２、３１２、４１２  下方支柱
１２０、２２０、３２０、４２０  グリップ
１２２、２２２、３２２、４２２  ブレーキハンドル
１３０                          バッテリー
１４０                          電動モータ
１５０、２５０、３５０、４５０  駆動輪
１６０、２６０、３６０、４６０  操作スイッチ
１７０、２７０、３７０、４７０  スプリング式のサスペンション
２８０、３８０、４８０          サドル
ＳＢ                            スケードボード
ＲＳ                            ローラスケート
【図１】
0003128042.tif 000003
【図２】
0003128042.tif 000004
【図３】
0003128042.tif 000005
【図４】
0003128042.tif 000006
【図５】
0003128042.tif 000007
【図６】
0003128042.tif 000008
【図７】
0003128042.tif 000009
【図８】
0003128042.tif 000010
【図９】
0003128042.tif 000011
【図１０】
0003128042.tif 000012
【図１１】
0003128042.tif 000013